(57)【要約】【課題】クランプ対象をクランプする操作の操作性を向上させる。【解決手段】本体部２１と、本体部２１の先端部２１ａに配設された第１のクランプ部３１および第２のクランプ部３２と、クランプ部３１，３２の各先端部３１ａ，３２ａを開閉させる開閉機構６１とを備え、第１のクランプ部３１は、本体部２１の先端部２１ａの側面２３ａ側に固定され、第２のクランプ部３２は、支持軸２７を回動中心として回動可能に先端部２１ａの側面２３ｂ側に配設され、開閉機構６１は、各先端部３１ａ，３２ａ同士が開く向きに第２のクランプ部３２を付勢するバネ７３と、本体部２１の長さ方向に沿ってスライド可能に側面２３ｂ側に配置されて、先端部２１ａ側にスライドさせられたときに第２のクランプ部３２の外周面４２ａに当接して各先端部３１ａ，３２ａ同士が閉じる向きに第２のクランプ部３２を回動させる第１スライド部７１とを備えている。【選択図】図５
2015190782.tif 000002
【特許請求の範囲】
【請求項１】
互いに対向する一対の主面および互いに対向する一対の側面を有する本体部と、各々の先端部同士が開閉可能に構成されて当該各先端部同士が閉じた状態においてクランプ対象を取り囲む環状体を形成すると共に当該環状体の開口面が前記各主面に平行となるように前記本体部の一端部に配設された第１のクランプ部および第２のクランプ部と、当該各クランプ部の前記各先端部を開閉させる開閉機構とを備えて前記クランプ対象についての検出量を検出可能に構成されたクランプセンサであって、
前記第１のクランプ部は、前記本体部の前記一端部における前記各側面のうちのいずれか一方の側面側に固定され、
前記第２のクランプ部は、前記各主面に交差するように設けられた支持軸によって基端部が軸支されて当該支持軸を回動中心として回動可能に前記本体部の前記一端部における前記各側面のうちの他方の側面側に配設され、
前記開閉機構は、前記各クランプ部の前記各先端部同士が開く向きに前記第２のクランプ部を付勢する付勢部材と、
前記本体部の他端部および前記一端部を結ぶ当該本体部の長さ方向に沿ってスライド可能に前記他方の側面側に配置されて、前記本体部の前記一端部に向けてスライドさせられたときに、前記第２のクランプ部における外周面の被当接部に当接して前記各クランプ部の各先端部同士が閉じる向きに当該第２のクランプ部を回動させるスライド部とを備えて構成されているクランプセンサ。
【請求項２】
前記第２のクランプ部の前記被当接部には、前記各クランプ部の各先端部同士が閉じた状態において前記本体部の前記長さ方向に対して平行となる平面部が設けられている請求項１記載のクランプセンサ。
【請求項３】
前記支持軸は、前記環状体の中心よりも前記他方の側面側に設けられている請求項１または２記載のクランプセンサ。
【請求項４】
請求項１から３のいずれかに記載のクランプセンサと、当該クランプセンサによって検出された前記検出量に基づいて前記クランプ対象についての測定量を測定する測定部とを備えている測定装置。
【発明の詳細な説明】
【技術分野】
【０００１】
本発明は、一対のクランプ部を備えたクランプセンサおよびそのクランプセンサを備えた測定装置に関するものである。
【背景技術】
【０００２】
この種のクランプセンサとして、下記特許文献１に開示された配線路探査用受信器（以下、単に「受信器」ともいう）が知られている。この受信器は、ケース、および２つのセンサ構成体で構成されてケースに収容されるクランプセンサを備えている。また、この受信器では、ケースの正面に配設された移動体の操作ツマミをスライド操作することによってケースに対するクランプセンサの出し入れを行うことが可能となっている。この場合、この受信器では、クランプセンサをケースから突出させた状態では、各センサ構成体の先端部同士が開き、クランプセンサをケースに収容した状態では、各センサ構成体の先端部同士が閉じる。また、この受信器では、電流が流れている配線をクランプセンサ（各センサ構成体）でクランプしたときに、配線に流れる電流によって配線に発生する磁界をクランプセンサによって検出することが可能となっている。
【先行技術文献】
【特許文献】
【０００３】
【特許文献１】特開２００６−１８４２４６公報（第６頁、第１−２図）
【発明の概要】
【発明が解決しようとする課題】
【０００４】
ところが、上記の受信器には、改善すべき以下の課題がある。すなわち、この受信器では、クランプセンサ（２つのセンサ構成体）で配線をクランプする際には、各センサ構成体をケースから突出させて各センサ構成体の先端部同士を開き、先端部間の隙間に配線を通して、各センサ構成体の内側に配線を導入し、次いで、操作ツマミをスライド操作して、各センサ構成体を収容部に収容させながら各先端同士を閉じる必要がある。つまり、この受信器では、各センサ構成体の先端を閉じる際に各センサ構成体の位置が変化する（各センサ構成体が配線に対して相対的に移動する）。このため、この受信器には、配線をクランプする際に、各センサ構成体の各先端部同士の隙間から配線がセンサ構成体の外側に出ないように、操作ツマミのスライド操作に合わせて、受信器全体を移動させる動作を行う必要があり、操作性が悪いという課題が存在する。
【０００５】
本発明は、かかる課題に鑑みてなされたものであり、クランプ対象をクランプする操作の操作性を向上し得るクランプセンサおよび測定装置を提供することを主目的とする。
【課題を解決するための手段】
【０００６】
上記目的を達成すべく請求項１記載のクランプセンサは、互いに対向する一対の主面および互いに対向する一対の側面を有する本体部と、各々の先端部同士が開閉可能に構成されて当該各先端部同士が閉じた状態においてクランプ対象を取り囲む環状体を形成すると共に当該環状体の開口面が前記各主面に平行となるように前記本体部の一端部に配設された第１のクランプ部および第２のクランプ部と、当該各クランプ部の前記各先端部を開閉させる開閉機構とを備えて前記クランプ対象についての検出量を検出可能に構成されたクランプセンサであって、前記第１のクランプ部は、前記本体部の前記一端部における前記各側面のうちのいずれか一方の側面側に固定され、前記第２のクランプ部は、前記各主面に交差するように設けられた支持軸によって基端部が軸支されて当該支持軸を回動中心として回動可能に前記本体部の前記一端部における前記各側面のうちの他方の側面側に配設され、前記開閉機構は、前記各クランプ部の前記各先端部同士が開く向きに前記第２のクランプ部を付勢する付勢部材と、前記本体部の他端部および前記一端部を結ぶ当該本体部の長さ方向に沿ってスライド可能に前記他方の側面側に配置されて、前記本体部の前記一端部に向けてスライドさせられたときに、前記第２のクランプ部における外周面の被当接部に当接して前記各クランプ部の各先端部同士が閉じる向きに当該第２のクランプ部を回動させるスライド部とを備えて構成されている。
【０００７】
また、請求項２記載のクランプセンサは、請求項１記載のクランプセンサにおいて、前記第２のクランプ部の前記被当接部には、前記各クランプ部の各先端部同士が閉じた状態において前記本体部の前記長さ方向に対して平行となる平面部が設けられている。
【０００８】
また、請求項３記載のクランプセンサは、請求項１または２記載のクランプセンサにおいて、前記支持軸は、前記環状体の中心よりも前記他方の側面側に設けられている。
【０００９】
また、請求項４記載の測定装置は、請求項１から３のいずれかに記載のクランプセンサと、当該クランプセンサによって検出された前記検出量に基づいて前記クランプ対象についての測定量を測定する測定部とを備えている。
【発明の効果】
【００１０】
請求項１記載のクランプセンサ、および請求項４記載の測定装置では、第１のクランプ部が本体部の一端部における一方の側面側に固定されると共に、第２のクランプ部が回動可能に本体部の一端部における他方の側面側に配設され、本体部の一端部に向けてスライド部をスライドさせたときに、スライド部が第２のクランプ部における外周面の被当接部に当接して各クランプ部の各先端部同士が閉じる向きに第２のクランプ部を回動させる。このため、このクランプセンサおよび測定装置によれば、本体部に対して各クランプ部を移動させない状態で各クランプ部の各先端部同士を閉じさせる操作クローズ操作を行うことができるため、クローズ操作に伴って本体部に対して各クランプ部が移動する従来の構成とは異なり、クローズ操作を行う際に、クランプ対象が各クランプ部から外れないようにクランプ対象に対するクランプセンサの位置を調整するような動作を行う必要がない結果、操作性を十分に向上させることができる。また、このクランプセンサおよび測定装置によれば、スライド部をスライドさせる力を第２のクランプ部における外周面の被当接部に作用させて第２のクランプ部を回動させ、これによって各クランプ部をクローズ状態（各クランプ部の各先端部同士が閉じた状態）とさせることができる。このため、このクランプセンサおよび測定装置によれば、バネの付勢力だけで各クランプ部の各先端部同士を閉じさせる構成とは異なり、バネの付勢力の不足によって各先端部同士が完全には閉じずに、被検出量を正確に検出することが困難となる事態を確実に防止することができる。
【００１１】
また、請求項２記載のクランプセンサ、および請求項４記載の測定装置では、クローズ状態において本体部の長さ方向（スライド部のスライド方向）と平行となる平面部が第２のクランプ部の被当接部に設けられている。このため、このクランプセンサおよび測定装置によれば、例えば、各クランプ部の各先端部同士が開く向きに第２のクランプ部を付勢するバネを設けた場合において、スライド部を本体部の一端部側にスライドさせて各クランプ部をクローズ状態としたときに、バネの付勢力によって第２のクランプ部の平面部からスライド部に加わる押圧力を、スライド部のスライド方向に対して直交する向きに作用させることができる。つまり、このクランプセンサおよび測定装置では、クローズ状態において、第２のクランプ部からスライド部に加わるの押圧力がスライド部のスライド方向に作用しないようにする（または、スライド方向への押圧力を低減させる）ことができる。このため、このクランプセンサおよび測定装置によれば、スライドが仮に規制される仮ロック状態のスライド部から指先を離しても、スライド部が本体部の他端部側にスライドして仮ロック状態が解除される事態を確実に防止することができる。
【００１２】
また、請求項３記載のクランプセンサ、および請求項４記載の測定装置によれば、第１のクランプ部および第２のクランプ部によって形成される環状体の中心よりも他方の側面側に支持軸を設けたことにより、環状体の中心よりも一方の側面側に支持軸を設ける構成と比較して、第２のクランプ部の外周面に対してスライド部から加えられる力の作用点と第２のクランプ部の回動中心（支持軸の位置）との間の距離を短くすることができる。このため、このクランプセンサおよび測定装置によれば、スライド部の少ないスライド量で第２のクランプ部を大きく回動させることができる結果、各クランプ部の各先端部同士を閉じさせる操作（クローズ操作）の操作性をさらに向上させることができる。
【図面の簡単な説明】
【００１３】
【図１】電流測定装置１の構成を示す構成図である。
【図２】クランプセンサ３の斜視図である。
【図３】クランプセンサ３の正面図である。
【図４】クランプセンサ３の平面図である。
【図５】クランプセンサ３の断面図である。
【図６】オープン状態におけるクランプセンサ３の断面図である。
【図７】仮ロック状態におけるクランプセンサ３の断面図である。
【発明を実施するための形態】
【００１４】
以下、クランプセンサおよび測定装置の実施の形態について、添付図面を参照して説明する。
【００１５】
最初に、測定装置の一例としての電流測定装置１の構成について、図面を参照して説明する。図１に示す電流測定装置１は、例えば、クランプ対象としての電線２００（図３参照）に流れる電流（測定量の一例）を測定可能に構成されている。具体的には、電流測定装置１は、図１に示すように、装置本体２およびクランプセンサ３を備えて構成されている。
【００１６】
装置本体２は、図１に示すように、測定部１１、操作部１２、表示部１３および制御部１４を備えて構成されている。
【００１７】
測定部１１は、制御部１４の制御に従い、クランプセンサ３によって検出された磁気（検出量の一例）に基づいて電線２００に流れる電流を測定する測定処理を実行する。
【００１８】
操作部１２は、各種のスイッチを備えて構成され、各スイッチが操作されたときに操作信号を出力する。表示部１３は、制御部１４の制御に従って電流の測定値等を表示する。制御部１４は、操作部１２から出力される操作信号に従って装置本体２を構成する各部を制御する。
【００１９】
クランプセンサ３は、クランプ対象としての電線２００をクランプした状態（取り囲んだ状態：図３参照）において検出量の一例としての磁気を検出するクランプセンサであって、図２〜４に示すように、本体部２１、第１のクランプ部３１、第２のクランプ部３２および開閉機構６１を備えて構成されている。
【００２０】
本体部２１は、図２〜図４に示すように、互いに対向する一対の主面２２ａ，２２ｂ（以下、区別しないときには「主面２２」ともいう）および互いに対向する一対の側面２３ａ，２３ｂ（以下、区別しないときには「側面２３」ともいう）を有して、先端部２１ａ（一端部に相当する）が開口し、基端部２１ｂ（他端部に相当する）が閉塞する箱形に形成されている。
【００２１】
また、本体部２１の側面２３ｂには、図２，４に示すように、後述する開閉機構６１の第１スライド部７１および第２スライド部７２を露出させる切り欠き２４が形成されている。また、主面２２ａ，２２ｂにおける側面２３ｂの近傍には、図４に示すように、第１スライド部７１および第２スライド部７２をスライド可能に支持するためのガイド溝２５が形成されている。また、本体部２１の側面２３ａには、滑り止めとして機能する複数の筋状の凸部２６が形成されている。また、本体部２１には、図５に示すように、第２のクランプ部３２を支持する支持軸２７が、主面２２ａ，２２ｂに対して交差（一例として直交）するようにして設けられている。この場合、支持軸２７は、同図に示すように、クランプ部３１，３２によって形成される環状体Ｒの中心Ｃよりも側面２３ｂ側（第１スライド部７１の配設側であって、各側面２３のうちの他方の側面２３側に相当する）に設けられている。より具体的には、支持軸２７は、同図に示すように、中心Ｃを通って側面２３ｂに平行な直線Ａ上の位置よりも側面２３ｂ側に設けられている。
【００２２】
第１のクランプ部３１は、図５に示すように、第１ケース４１および第１センサ５１を備えて構成されている。第１ケース４１は、本体部２１とは別体に形成されている。また、第１ケース４１は、図５，６に示すように、正面視が半円形をなすように形成されて、内部に第１センサ５１を収容可能な収容空間を有している。第１センサ５１は、両図に示すように、正面視が半円形に形成されて、第１ケース４１の収容空間に収容されている。また、第１のクランプ部３１は、移動不可状態で本体部２１の先端部２１ａにおける側面２３ａ（各側面２３のうちのいずれか一方の側面２３）側に固定されている。この場合、第１のクランプ部３１の第１ケース４１と本体部２１とを別体とする構成、および第１ケース４１と本体部２１とを一体とする構成のいずれも採用することができる。
【００２３】
第２のクランプ部３２は、図５に示すように、第２ケース４２および第２センサ５２を備えて構成されている。第２ケース４２は、図５，６に示すように、正面視が半円形をなして、内部に第２センサ５２を収容可能な収容空間が形成されている。第２センサ５２は、両図に示すように、正面視が半円形に形成されて、第２ケース４２の収容空間に収容されている。この第２センサ５２は、第１のクランプ部３１の第１センサ５１と共に検出量としての磁気を検出する。
【００２４】
また、第２のクランプ部３２は、図５に示すように、本体部２１に設けられている支持軸２７によって基端部３２ｂが軸支されており、支持軸２７を回動中心として回動可能に本体部２１の先端部２１ａにおける側面２３ｂ（各側面２３のうちの他方の側面２３）側に配設されている。
【００２５】
また、図５に示すように、第２のクランプ部３２の基端部３２ｂ側における第２ケース４２の外周面４２ａには、平面部４２ｂが設けられている。この場合、平面部４２ｂは、クランプ部３１，３２の各先端部３１ａ，３２ａ同士が閉じた状態（以下、この状態を「クローズ状態」ともいう）において、開閉機構６１における第１スライド部７１の先端部７１ａ（同図参照）が当接する被当接部に形成されている。また、平面部４２ｂは、同図に示すように、クローズ状態において、本体部２１の基端部２１ｂおよび先端部２１ａを結ぶ本体部２１の長さ方向（第１スライド部７１のスライド方向：図３〜図５に示す矢印Ｘの方向）に対して平行となるように形成されている。
【００２６】
このクランプセンサ３では、クランプ部３１，３２がこのように構成されることにより、第１のクランプ部３１および第２のクランプ部３２の各々の先端部３１ａ，３２ａ同士が開閉可能となっている。また、このクランプセンサ３では、クローズ状態のクランプ部３１，３２によって、クランプ対象の電線２００を取り囲む環状体Ｒ（図５参照）が形成される。この場合、このクランプセンサ３では、クランプ部３１，３２によって形成される環状体Ｒの開口面Ｏ（同図参照）が本体部２１の主面２２ａ，２２ｂに対して平行となるようにクランプ部３１，３２が本体部２１に配設されている。
【００２７】
開閉機構６１は、クランプ部３１，３２の各先端部３１ａ，３２ａを開閉させるための機構であって、図２〜図５に示すように、第１スライド部７１、第２スライド部７２およびバネ７３（図５参照）を備えて構成されている。
【００２８】
第１スライド部７１は、本体部２１における側面２３ｂ（他方の側面）側にスライド可能に配置されている。具体的には、第１スライド部７１は、主面２２ａ，２２ｂにおける側面２３ｂの近傍に形成されているガイド溝２５（図４参照）に側部が嵌め込まれることにより、本体部２１の基端部２１ｂおよび先端部２１ａを結ぶ本体部２１の長さ方向（図３〜図５に示す矢印Ｘの方向）に沿ってスライドすることが可能となっている。この第１スライド部７１は、クランプ部３１，３２の各先端部３１ａ，３２ａ同士を開閉させる際に用いられる。具体的には、本体部２１の先端部２１ａ側に向けて（図７に示す矢印Ｘ１の向きに）第１スライド部７１をスライドさせることで、第１スライド部７１の先端部７１ａが第２のクランプ部３２における第２ケース４２の外周面４２ａに当接してクランプ部３１，３２の各先端部３１ａ，３２ａ同士が閉じる向き（同図に示す矢印Ｒ２の向き）に第２のクランプ部３２が回動し、これによって各先端部３１ａ，３２ａ同士が閉じた状態（クローズ状態）となる。また、本体部２１の基端部２１ｂに向けて（同図に示す矢印Ｘ２の向きに）第１スライド部７１をスライドさせることで、第２ケース４２の外周面４２ａに対する先端部７１ａの当接が解除され、バネ７３の付勢力によってクランプ部３１，３２の各先端部３１ａ，３２ａ同士が開く向き（図６に示す矢印Ｒ１の向き）に第２のクランプ部３２が回動し、これによって各先端部３１ａ，３２ａ同士が開いた状態（同図参照：以下、この状態を「オープン状態」ともいう）となる。
【００２９】
第２スライド部７２は、第１スライド部７１に嵌め込み可能に構成されて、本体部２１の長さ方向（第１スライド部７１のスライド方向）に沿って第１スライド部７１に対して相対的にスライドすることが可能となっている。この第２スライド部７２は、本体部２１に対する第１スライド部７１のスライドを規制する機能を有している。具体的には、第２スライド部７２は、本体部２１の先端部２１ａ側に位置している状態（図６，７に示す状態）では、第１スライド部７１のスライドを許容し、本体部２１の基端部２１ｂ側に位置している状態（図５に示す状態）では、先端部７１ａのスライドを規制する。
【００３０】
バネ７３は、付勢部材の一例であって、クランプ部３１，３２の各先端部３１ａ，３２ａ同士が開く向きに第２のクランプ部３２を付勢する。この場合、バネ７３は、一例として、ねじりコイルバネ（トーションバネ）で構成され、図５に示すように、コイル部７３ａが支持軸２７によって支持されると共に、一方の腕部７３ｂが本体部２１に係合し、他方の腕部７３ｃが第２のクランプ部３２の基端部３２ｂに係合している。
【００３１】
次に、電流測定装置１の使用方法について、図面を参照して説明する。
【００３２】
まず、装置本体２の操作部１２を操作して電源を投入し、次いで、クランプセンサ３のクランプ部３１，３２でクランプ対象の電線２００をクランプする。具体的には、オープン状態のクランプセンサ３（図６参照）の本体部２１を掴んで、クランプ部３１，３２を電線２００に近づける。
【００３３】
この場合、オープン状態のクランプセンサ３では、図６に示すように、開閉機構６１の第１スライド部７１および第２スライド部７２がいずれも本体部２１の基端部２１ｂ側に位置し、開閉機構６１におけるバネ７３の付勢力によってクランプ部３１，３２の各先端部３１ａ，３２ａ同士が開いたオープン状態（同図に示す矢印Ｒ１の向きに第２のクランプ部３２が回動した状態）となっている。
【００３４】
続いて、クランプ部３１，３２における各先端部３１ａ，３２ａ間の隙間に電線２００を通過させ、図６に示すように、対向するクランプ部３１，３２によって挟まれた空間に電線２００が位置するようにクランプセンサ３を移動させる。
【００３５】
次いで、図７に示すように、第１スライド部７１および第２スライド部７２を本体部２１の長さ方向に沿って本体部２１の先端部２１ａ側に向けて（同図に示す矢印Ｘ１の向きに）スライドさせる。この際に、第１スライド部７１の先端部７１ａが第２のクランプ部３２における第２ケース４２の外周面４２ａに当接して、クランプ部３１，３２の各先端部３１ａ，３２ａ同士が閉じる向き（同図に示す矢印Ｒ２の向き）に第２のクランプ部３２が回動する。
【００３６】
ここで、このクランプセンサ３では、第１のクランプ部３１が本体部２１の先端部２１ａに固定されると共に、第２のクランプ部３２が回動可能に本体部２１の先端部２１ａに配設され、本体部２１の先端部２１ａに向けて第１スライド部７１をスライドさせたときに、第１スライド部７１の先端部７１ａが第２のクランプ部３２の外周面４２ａに当接してクランプ部３１，３２の各先端部３１ａ，３２ａ同士が閉じる向きに第２のクランプ部３２を回動させる。このため、このクランプセンサ３では、本体部２１に対してクランプ部３１，３２を移動（本体部２１の長さ方向に沿って移動）させない状態でクランプ部３１，３２の各先端部３１ａ，３２ａ同士を閉じさせる操作（以下、この操作を「クローズ操作」ともいう）を行うことが可能となっている。したがって、このクランプセンサ３では、クローズ操作に伴って本体部２１に対してクランプ部が移動する構成とは異なり、クローズ操作を行う際に、電線２００がクランプ部３１，３２から外れないように電線２００に対するクランプセンサ３の位置を調整する（クランプセンサ３を移動させる）ような動作を行う必要がないため、その分操作性を向上させることが可能となっている。
【００３７】
また、このクランプセンサ３では、クランプ部３１，３２によって形成される環状体Ｒの中心Ｃよりも側面２３ｂ側に支持軸２７を設けたことにより、環状体Ｒの中心Ｃよりも側面２３ａ側に支持軸２７を設ける構成と比較して、第２のクランプ部３２の外周面４２ａに対して第１スライド部７１から加えられる力の作用点と第２のクランプ部３２の回動中心（支持軸２７の位置）との間の距離を短くすることができる。このため、このクランプセンサ３では、第１スライド部７１の少ないスライド量で第２のクランプ部３２を大きく回動させることが可能となっている。
【００３８】
続いて、図７に示すように、クランプ部３１，３２の各先端部３１ａ，３２ａ同士が閉じる（互いに当接する）まで第１スライド部７１をスライドさせる。この場合、このクランプセンサ３では、第１スライド部７１をスライドさせる力を第２のクランプ部３２の外周面４２ａに作用させて第２のクランプ部３２を回動させ、これによってクランプ部３１，３２をクローズ状態とさせている。このため、このクランプセンサ３では、各先端部３１ａ，３２ａ同士が閉じる向きにバネの付勢力を作用させて、バネの付勢力だけで各先端部３１ａ，３２ａ同士を閉じさせる構成とは異なり、バネの付勢力の不足によって各先端部３１ａ，３２ａ同士の閉じ方が不完全となる事態が回避されて、各先端部３１ａ，３２ａ同士を確実に閉じさせることが可能となっている。
【００３９】
次いで、クランプ部３１，３２の各先端部３１ａ，３２ａ同士が閉じたときには、第１スライド部７１における図外の係合部が本体部２１の側面２３ｂに形成されている図外の被係合部に係合して、本体部２１の基端部２１ｂ側に向かう向き（図７に示す矢印Ｘ２の向き）の第１スライド部７１のスライドが規制される（仮に規制される）仮ロック状態となる。
【００４０】
この場合、このクランプセンサ３では、クローズ状態において、本体部２１の長さ方向（第１スライド部７１のスライド方向）に対して平行な平面部４２ｂと先端部７１ａとが当接している（図５参照）。このため、このクランプセンサ３では、クローズ状態において、バネ７３の付勢力によって第２のクランプ部３２の平面部４２ｂから第１スライド部７１の先端部７１ａに作用する押圧力が、第１スライド部７１のスライド方向に対して直交する向き（または、ほぼ直交する向き）に作用している。つまり、第１スライド部７１のスライド方向（図７に示す矢印Ｘ２への向き）への第２のクランプ部３２からの押圧力をなくす（または、低減させる）ことが可能となっている。したがって、このクランプセンサ３では、仮ロック状態の第１スライド部７１から指先を離しても、第１スライド部７１が本体部２１の基端部２１ｂ側にスライドして仮ロック状態が解除される事態を確実に防止することが可能となっている。
【００４１】
続いて、第１スライド部７１の仮ロック状態を維持しつつ、基端部２１ｂ側に向けて（図７に示す矢印Ｘ２の向きに）第２スライド部７２を移動させる。これにより、第１スライド部７１が、仮ロック状態から矢印Ｘ２の向きへのスライドが確実に規制される本ロック状態に移行する。
【００４２】
以上により、電線２００のクランプが完了する。次いで、クランプセンサ３のクランプ部３１，３２（第１センサ５１および第２センサ５２）が、電線２００に流れる電流によって生じる磁気を検出して検出信号を出力する。
【００４３】
続いて、操作部１２を操作して測定開始を指示する。この際に、制御部１４が測定部１１を制御して、測定処理を実行させる。この測定処理では、測定部１１は、クランプセンサ３から出力された検出信号（クランプセンサ３によって検出された検出量としての磁気）に基づいて電線２００に流れる電流（クランプ対象についての測定量）を測定する。次いで、制御部１４が、表示部１３を制御して、測定部１１によって測定された電流の値を表示させる。以上により、電線２００を流れる電流の測定が完了する。
【００４４】
一方、測定が完了して、電線２００のクランプを解除する際には、第２スライド部７２を本体部２１の先端部２１ａ側（第１スライド部７１の先端部７１ａ側）にスライドさせることによって第１スライド部７１のスライド不可状態（ロック状態）を解除する。続いて、第１スライド部７１を第２スライド部７２と共に本体部２１の基端部２１ｂ側にスライドさせる。この際に、第２ケース４２の外周面４２ａに当接していた第１スライド部７１の先端部７１ａが外周面４２ａから離反する。この際に、バネ７３の付勢力により、クランプ部３１，３２の各先端部３１ａ，３２ａ同士が離反する向き（図６に示す矢印Ｒ１の向き）に第２のクランプ部３２が回動し、これにより、同図に示すように、クランプ部３１，３２がオープン状態となる。次いで、クランプ部３１，３２の各先端部３１ａ，３２ａの間の隙間から電線２００を逃がすようにして電線２００からクランプセンサ３（クランプ部３１，３２）を離反させる。以上により、電線２００に流れる電流の測定が完了する。
【００４５】
このように、このクランプセンサ３および電流測定装置１では、第１のクランプ部３１が本体部２１の先端部２１ａに固定されると共に、第２のクランプ部３２が回動可能に本体部２１の先端部２１ａに配設され、本体部２１の先端部２１ａに向けて第１スライド部７１をスライドさせたときに、第１スライド部７１の先端部７１ａが第２のクランプ部３２の外周面４２ａに当接してクランプ部３１，３２の各先端部３１ａ，３２ａ同士が閉じる向きに第２のクランプ部３２を回動させる。このため、このクランプセンサ３および電流測定装置１によれば、本体部２１に対してクランプ部３１，３２を移動させない状態でクローズ操作を行うことができるため、クローズ操作に伴って本体部２１に対してクランプ部３１，３２が移動する従来の構成とは異なり、クローズ操作を行う際に、電線２００がクランプ部３１，３２から外れないように電線２００に対するクランプセンサ３の位置を調整するような動作を行う必要がない結果、操作性を十分に向上させることができる。また、このクランプセンサ３および電流測定装置１によれば、第１スライド部７１をスライドさせる力を第２のクランプ部３２の外周面４２ａに作用させて第２のクランプ部３２を回動させ、これによってクランプ部３１，３２をクローズ状態とさせることができる。このため、このクランプセンサ３および電流測定装置１によれば、バネの付勢力だけで各先端部３１ａ，３２ａ同士を閉じさせる構成とは異なり、バネの付勢力の不足によって各先端部３１ａ，３２ａ同士が完全には閉じずに、被検出量を正確に検出することが困難となる事態を確実に防止することができる。
【００４６】
また、このクランプセンサ３および電流測定装置１では、クローズ状態において本体部２１の長さ方向（第１スライド部７１のスライド方向）と平行となる平面部４２ｂが第２のクランプ部３２における外周面４２ａの被当接部に設けられている。このため、このクランプセンサ３および電流測定装置１によれば、第１スライド部７１を本体部２１の先端部２１ａ側にスライドさせてクランプ部３１，３２をクローズ状態としたときに、バネ７３の付勢力によって第２のクランプ部３２の平面部４２ｂから第１スライド部７１の先端部７１ａに加わる押圧力を、第１スライド部７１のスライド方向に対して直交する向きに作用させることができる。つまり、このクランプセンサ３および電流測定装置１では、クローズ状態において、第２のクランプ部３２から第１スライド部７１に加わる押圧力が第１スライド部７１のスライド方向に作用しないようにする（または、スライド方向への押圧力を低減させる）ことができる。このため、このクランプセンサ３および電流測定装置１によれば、仮ロック状態の第１スライド部７１から指先を離しても、第１スライド部７１が本体部２１の基端部２１ｂ側にスライドして仮ロック状態が解除される事態を確実に防止することができる。
【００４７】
また、このクランプセンサ３および電流測定装置１によれば、クランプ部３１，３２によって形成される環状体Ｒの中心Ｃよりも側面２３ｂ側に支持軸２７を設けたことにより、中心Ｃよりも側面２３ａ側に支持軸２７を設ける構成と比較して、第２のクランプ部３２の外周面４２ａに対して第１スライド部７１から加えられる力の作用点と第２のクランプ部３２の回動中心（支持軸２７の位置）との間の距離を短くすることができる。このため、このクランプセンサ３および電流測定装置１によれば、第１スライド部７１の少ないスライド量で第２のクランプ部３２を大きく回動させることができる結果、クランプ部３１，３２の各先端部３１ａ，３２ａ同士を閉じさせる操作（クローズ操作）の操作性をさらに向上させることができる。
【００４８】
なお、クランプセンサおよび測定装置の構成は、上記の構成に限定されない。例えば、検出量としての磁気を検出するクランプセンサ３を例に挙げて説明したが、検出量は磁気に限定されない。一例として、水道管やガス管などをクランプ対象として、水道管に流れる水の流量や温度、およびガス管に流れるガスの流量や温度を測定量として検出するクランプセンサに適用することができる。
【００４９】
また、クランプセンサ３によって検出された検出量（上記の例では、磁気）に基づいて測定量の一例としての電流を測定する電流測定装置１を例に挙げて説明したが、磁気や上記した磁気以外の各種の検出量に基づいて電流以外の各種の測定量を測定する測定装置に適用することができる。
【００５０】
また、第１スライド部７１と、第１スライド部７１のスライドを規制する第２スライド部７２とを備えた例について上記したが、第２スライド部７２を備えていない構成を採用することもできる。
【００５１】
また、クローズ状態において本体部２１の長さ方向に対して平行となる平面部４２ｂを第２のクランプ部３２における外周面４２ａの被当接部に形成した例について上記したが、このような平面部４２ｂを外周面４２ａに形成しない構成を採用することもできる。
【００５２】
また、本体部２１の各側面２３ａ，２３ｂ間における中間位置よりも側面２３ａ側に支持軸２７を設けた例について上記したが、中間位置に支持軸２７を設ける構成や、中間位置よりも側面２３ｂ側に支持軸２７を設ける構成を採用することもできる。
【００５３】
また、ねじりコイルバネで構成されたバネ７３を付勢部材として用いる構成例について上記したが、コイルスプリングを付勢部材として用いて、クランプ部３１，３２の各先端部３１ａ，３２ａ同士が開く向きに第２のクランプ部３２を付勢する構成を採用することもできる。
【符号の説明】
【００５４】
１  電流測定装置
３  クランプセンサ
１１  測定部
２１  本体部
２１ａ  先端部
２１ｂ  基端部
２２ａ，２２ｂ  主面
２３ａ，２３ｂ  側面
２７  支持軸
３１  第１のクランプ部
３１ａ，３２ａ  先端部
３２  第２のクランプ部
４２ａ  外周面
４２ｂ  平面部
６１  開閉機構
７１  第１スライド部
７１ａ  先端部
７３  バネ
２００  電線
Ｃ  中心
Ｏ  開口面
Ｒ  環状体
【図１】
2015190782.tif 000003
【図２】
2015190782.tif 000004
【図３】
2015190782.tif 000005
【図４】
2015190782.tif 000006
【図５】
2015190782.tif 000007
【図６】
2015190782.tif 000008
【図７】
2015190782.tif 000009